(57)【特許請求の範囲】
【請求項１】
先端が吸い込み部に後端が排気部に形成されている筒状部と、この筒状部を支持する取っ手と、この取っ手を持ってスイッチを押すと吸い込み部から外気を吸引する吸引機を内蔵し、この吸引機で吸い込み部から吸引した虫の収納箇所が筒状部内に連通する導入路の先に設けられている吸引式の害虫駆除器であって、上記の吸引機が、羽根車を備えたモータで形成され、上記の導入路の筒状部内に開口する入口を閉塞し、スイッチが押されると導入路の入口を開くと共に、筒状部のエアーの流路を塞いで虫が排気部側に流れるのを防止するフィルター状の蓋を備えて形成されていることを特徴とする吸引式の害虫駆除器。
【請求項２】
請求項１記載の吸引式の害虫駆除器であって、蓋が、筒状部内を流れるエアーの風圧を受ける風受け板を備え、吸引機が外気を吸引したとき、下端の軸を中心に引き起こし可能に形成されていることを特徴とする吸引式の害虫駆除器。
【請求項３】
請求項１又は２記載の吸引式の害虫駆除器であって、導入路の入口付近に設けられてスイッチが押されると磁力を発生する電磁石と、この電磁石に対応する蓋の上辺位置に設けられて通電時に電磁石と反発し合う第１の永久磁石と、また引き起こされた蓋の動きを止めるため筒状部の内面に凸段差状に設けられているストッパーと、このストッパーに設けられて第１の永久磁石と反発し合う第２の永久磁石とを備えて形成されていることを特徴とする吸引式の害虫駆除器。
【請求項４】
請求項１乃至３の何れかに記載の吸引式の害虫駆除器であって、取っ手が筒状に形成されて取っ手内が導入路に形成され、取っ手の下端に導入路と連通するよう収納箇所が設けられていることを特徴とする吸引式の害虫駆除器。
【請求項５】
請求項１乃至４の何れかに記載の吸引式の害虫駆除器であって、吸い込み部が、毛をブラシ状に備えた独立した部品で形成され、筒状部の先端に交換自在に形成されていることを特徴とする吸引式の害虫駆除器。
【請求項６】
請求項５記載の吸引式の害虫駆除器に使用する吸い込み部形成部品であって、毛をブラシ状に備え、筒状部の先端に交換自在に形成されていることを特徴とする吸い込み部形成部品。
【請求項７】
請求項６記載の吸い込み部形成部品であって、毛が先端部のぐるりに毛先を前方に向けて環状に設けられていることを特徴とする吸い込み部形成部品。
【請求項８】
請求項６記載の吸い込み部形成部品であって、左右の側壁が先端部に向かって先細り状に形成され、毛が入口から奥に向かって上から見てすり鉢状のテーパーに形成されていることを特徴とする吸い込み部形成部品。
【請求項９】
請求項６記載の吸い込み部形成部品であって、断面方形又は断面円形の筒形に形成され、毛が左右の側壁から内方に突き出されて上下二段状に設けられていることを特徴とする吸い込み部形成部品。
【発明の詳細な説明】
【技術分野】
【０００１】
本発明は、片手で持てる大きさ、重さに形成されている、携帯型ハンディータイプの害虫駆除器に関し、更に詳しくは吸引式の害虫駆除器及びこれに使用する吸い込み部形成部品に関するものである。
【背景技術】
【０００２】
従来この種の害虫駆除器としては、例えば特許文献１に記載されているものがある。
この従来品は、シリンダーの中に、引き金を引くと勢い良く後方に移動するピストンが挿入され、シリンダーの先に吸引ノズルが装着され、取っ手を持って引き金を引くことにより、虫が吸引ノズルから吸い込まれ、回収箇所に収納可能に形成されている。
【０００３】
ところで、この種の害虫駆除器は、携帯して片手で簡単に操作でき、しかも虫を収納箇所に確実に収納でき、且つ収納した虫を外に逃がさないよう形成されているのが望ましい。
しかるに従来品は、シリンダー内のピストンを指で前方に押してバネを圧縮し、引き金を引くことにより、ピストンの係止状態を解除し、バネの復元力でピストンを後方に移動させ、その際の負圧を利用して虫を吸引する構造であった。
従って従来品は、虫を吸引する度にピストンを押す必要があったから、従来品を使用すると、虫の吸引操作が面倒で使い勝手が悪いものであった。
【０００４】
また従来品は、シリンダー内に連通するよう排気管が設けられ、この排気管の先に収納箇所としての袋が設けられていたが、この排気管の入口が常に開口されていた。
従って従来品によると、捕獲した虫が収納箇所からシリンダー内に這い出て逃げ出すことがあり、この虫がピストンの動きに支障を及ぼす、という問題点があった。
【先行技術文献】
【特許文献】
【０００５】
【特許文献１】特開２００３−９２９６３号公報
【発明の概要】
【発明が解決しようとする課題】
【０００６】
本発明は、このような従来品の問題点に鑑み、提案されたものである。
従って本発明の解決しようとする技術的課題は、吸引操作を簡単且つ楽にでき、また捕獲した虫が這い出ることを防止でき、虫だけでなく葉に生み付けられた虫の卵までも確実に収納、捕獲できるよう形成した吸引式の害虫駆除器及びこれに使用する吸い込み部形成部品を提供することにある。
【課題を解決するための手段】
【０００７】
本発明は、上記の課題を解決するため、次のような技術的手段を採る。
即ち本発明は、図１等に示されるように、先端が吸い込み部１に後端が排気部２に形成されている筒状部３と、この筒状部３を支持する取っ手４と、この取っ手４を持ってスイッチ５を押すと吸い込み部１から外気を吸引する吸引機６を内蔵し、この吸引機６で吸い込み部１から吸引した虫の収納箇所７が筒状部３内に連通する導入路８の先に設けられている吸引式の害虫駆除器であって、上記の吸引機６が、羽根車６ａを備えたモータで形成され、上記の導入路８の筒状部３内に開口する入口を閉塞し、スイッチ５が押されると導入路８の入口を開くと共に、筒状部３のエアーの流路を塞いで虫が排気部２側に流れるのを防止するフィルター状の蓋１４を備えて形成されていることを特徴とする（請求項１）。
【０００８】
本発明の場合、蓋１４の網目は、虫の種類等に応じて適宜選定されるので良い。蓋１４の切り替え制御は、具体的には、スイッチ５を押すことにより、蓋１４を、例えば跳ね上げたり、巻き取り可能に形成し、これにより導入路８の入口を開けると共に、筒状部３内のエアーの流路側に蓋１４を配置することで実現される。
【０００９】
而して本発明の場合、蓋１４が、筒状部３内を流れるエアーの風圧を受ける風受け板１４ａを備え、吸引機６が外気を吸引したとき、下端の軸１５を中心に引き起こし可能に形成されているのが好ましい（請求項２）。
なぜならこれによると、吸引するエアーを利用して簡単に且つ効率良く蓋１４を引き起こし、虫の流れを制御できるからである。
【００１０】
またこの場合本発明は、導入路８の入口付近に設けられてスイッチ５が押されると磁力を発生する電磁石１６と、この電磁石１６に対応する蓋１４の上辺位置に設けられて通電時に電磁石１６と反発し合う第１の永久磁石１７と、また引き起こされた蓋１４の動きを止めるため筒状部３の内面に凸段差状に設けられているストッパー１８と、このストッパー１８に設けられて第１の永久磁石１７と反発し合う第２の永久磁石１９とを備えて形成されているのが好ましい（請求項３）。
【００１１】
なぜならこれによると、電磁石１６と第１の永久磁石１７との反発力を利用してスイッチ５が押された瞬間、蓋１４を跳ね上げて導入路８を開くことができ、また吸引機６の駆動が停止したときは第１の永久磁石１７と第２の永久磁石１９との反発力を利用して蓋１４を瞬時に降下させ、導入路８の入口を閉塞できるからである。
またこの場合は、蓋１４が導入路８の入口を閉塞するとき、第１の永久磁石１７が非通電時の電磁石１６の鉄芯１６ａに吸着する。従ってこれによると、器具を傾けたり、逆さにしても導入路８の入口を蓋１４でしっかりと閉塞でき、捕獲した虫が収納箇所７から逃げ出すことを確実に防止できるからである。
【００１２】
また本発明は、取っ手４が筒状に形成されて取っ手４内が導入路８に形成され、取っ手４の下端に導入路８と連通するよう収納箇所７が設けられているのが好ましい（請求項４）。
なぜならこれによると、導入路８を取っ手４と別個に形成する場合に比べ、小型化、軽量化でき、外観もすっきりし、デザイン的に優れた本発明品を提供できるからである。
【００１３】
而して、害虫や害虫の卵は小さな葉ダニ、アブラムシから、青虫、カメムシ等、種類により大きさや形が異なり、また葉や茎２１など、付着している箇所が異なるものである。従って、葉や茎２１についている害虫や卵を吸引するときは、葉や茎２１を傷つけることなく、虫や卵を擦り取って吸引できるよう、また虫や卵の付いている箇所や虫や卵の種類等に合わせて確実に吸引できるよう、本発明は、吸い込み部１が、毛１ａをブラシ状に備えた独立した部品で形成され、筒状部３の先端に交換自在に形成されているのが好ましい（請求項５）。
この本発明の場合、吸い込み部１の交換は、例えば筒状部３の先端に吸い込み部１を嵌め付け可能に形成したり、或いは筒状部３と吸い込み部１の接合部にネジをきり、螺子合わせることにより実現される。
【００１４】
また本発明の吸引式の害虫駆除器に使用する吸い込み部形成部品としては、図８、図９に示されるように、毛１ａをブラシ状に備え、筒状部３の先端に交換自在に形成されていることを特徴とするものがある（請求項６）。
【００１５】
この場合、本発明品は、同図に示されるように、毛１ａが先端部１ｄのぐるりに毛先を前方に向けて環状に設けられているのが好ましい（請求項７）。
なぜならこれによると、葉につく虫や卵を、毛１ａを利用して擦り取りながら吸引できるからである。
【００１６】
また本発明の吸い込み部形成部品は、図１０に示されるように、左右の側壁１ｃが先端部１ｄに向かって先細り状に形成され、毛１ａが入口から奥に向かって上から見てすり鉢状のテーパーに形成されているのが好ましい（請求項８）。
なぜならこれによると、茎２１に差し込み易くなり、その際の抵抗も小さくできるからである。
【００１７】
また本発明の吸い込み部形成部品は、図１２、図１４に示されるように、断面方形又は断面円形の筒形に形成され、毛１ａが左右の側壁１ｃから内方に突き出されて上下二段状に設けられているのが好ましい（請求項９）。
なぜならこれによると、カメムシ又は類似虫を上下の毛１ａの間に入れて、茎２１から擦り取り、落下する虫を下側の毛１ａで受け止めて吸い込むことができるからである。
【発明の効果】
【００１８】
本発明は、このように筒状部の吸い込み部から外気を吸引する吸引機を、羽根車を備えたモータで形成し、筒状部に連通する導入路の入口を閉塞し、スイッチを押すと導入路の入口を開くと共に、筒状部のエアーの流路を塞いで虫が排気部側に流れるのを防止するフィルター状の蓋を備えて形成しているものである。
【００１９】
従って本発明は、スイッチを押すことにより吸引機としてのモータが駆動し、外気を吸い込むことができるから、これによれば、虫を簡単且つ楽に吸引捕獲できる。
また本発明は、常時は導入路の入口を蓋で塞ぎ、スイッチを押すと入口を開くと共に、虫が排気部側に流れることをフィルター状の蓋で防止できる。
従って本発明によれば、吸引した虫や卵を収納箇所に確実に収納、捕獲でき、収納箇所から虫が這い出ることを防止できる。
【図面の簡単な説明】
【００２０】
【図１】本発明の害虫駆除器の好適な一実施形態を示す側面図である。
【図２】同上害虫駆除器の要部断面図である。
【図３】同上害虫駆除器の要部構成図である。
【図４】スイッチが押された時のタイムチャートである。
【図５】同上害虫駆除器の要部分解側面図である。
【図６】収納箇所を説明するための側面図である。
【図７】本発明の害虫駆除器の使用状態を示す斜視図である。
【図８】吸い込み部を示す要部斜視図である。
【図９】吸い込み部を示す要部断面図である。
【図１０】吸い込み部の他の実施形態を示し、Ａは要部斜視図、Ｂは毛を植毛した枠部材を示す要部斜視図である。
【図１１】図１０の吸い込み部を示し、Ａは要部平面図、Ｂは要部正面図、Ｃは要部側面図である。
【図１２】吸い込み部の他の実施形態を示し、Ａは要部斜視図、Ｂは要部平面図、Ｃは要部正面図である。
【図１３】吸い込み部の他の実施形態を示し、Ａは要部斜視図、Ｂは要部平面図、Ｃは要部正面図である。
【図１４】吸い込み部の他の実施形態を示し、Ａは要部斜視図、Ｂは要部平面図、Ｃは要部正面図である。
【発明を実施するための形態】
【００２１】
以下、本発明の好適な一実施形態を、添付図面に従って説明する。
本発明は、図１等に示されるように、先端が吸い込み部１に後端が排気部２に形成されている筒状部３と、この筒状部３を支持する取っ手４と、この取っ手４を持ってスイッチ５を押すと吸い込み部１から外気を吸引する吸引機６を内蔵し、この吸引機６で吸い込み部１から吸引した虫の収納箇所７が、筒状部３内に連通する導入路８の先に設けられている。
【００２２】
上記の取っ手４は、この実施形態では筒状に形成され、取っ手４内が導入路８に形成されている。そして収納箇所７は、取っ手４の下端に、螺合式のジョイント部材９で導入路８と連通するよう取り付けられている。収納箇所７は、図５、図６に示されるように、この実施形態ではボトル状に形成され、取っ手４の下端から外したときは、キャップ１０を螺合して口を閉塞可能に形成されている。
【００２３】
また上記の吸引機６は、羽根車６ａを備えたモータで形成されている。この吸引機６としてのモータは、筒状部３の後端に内蔵され、図３に示されるように、スイッチ５が押されると駆動するよう形成されている。なお、バッテリー１１は、例えば乾電池で形成されている。このバッテリー１１は、取っ手４に内蔵されているのでも良いが、この実施形態では、図９に示されるように、使用者が腰のベルト１２に装着可能に形成され、コード１３を介して吸引機６等と電気的に接続されている。
【００２４】
また本発明は、上記の導入路８の筒状部３内に開口する入口を閉塞し、スイッチ５が押されると導入路８の入口を開くと共に、筒状部３のエアーの流路を塞いで虫が排気部２側に流れるのを防止するフィルター状の蓋１４を備えて形成されている。この蓋１４は、筒状部３内を流れるエアーの風圧を受ける風受け板１４ａを備え、吸引機６が外気を吸引したとき、下端の軸１５を中心に引き起こし可能に形成されている。
【００２５】
またこの実施形態の本発明は、図２、図３に示されるように、導入路８の入口付近に設けられてスイッチ５が押されると磁力を発生する電磁石１６と、この電磁石１６に対応する蓋１４の上辺位置に設けられて通電時に電磁石１６と反発し合う第１の永久磁石１７と、また引き起こされた蓋１４の動きを止めるため筒状部３の内面に凸段差状に設けられているストッパー１８と、このストッパー１８に設けられて第１の永久磁石１７と反発し合う第２の永久磁石１９とを備えて形成されている。ストッパー１８は、この実施形態では筒状部３の先端側から見て門型形状に形成されている。
【００２６】
上記の電磁石１６は、スイッチ５がオフのときは、磁力が発生しないから、蓋１４は、第１の永久磁石１７の働きで電磁石１６の鉄芯１６ａに吸着している。そしてスイッチ５が押されると、モータが駆動して外気が吸引されると共に、スイッチング素子２０の働きで、電磁石１６に電流が一瞬流れ、磁力が発生する（図４参照）。
【００２７】
この場合、電磁石１６の磁極と、第１の永久磁石１７の磁極は、同一に選定されている。従って蓋１４は、その反発力と、風受け板１４ａが受ける風圧とで軸１５を中心に回転して跳ね上げられる。そして蓋１４は、ストッパー１８に衝止し、モータが駆動して外気が吸引されている間は、風圧でストッパー１８に押し付けられている。
【００２８】
なおこの場合、本発明は、蓋１４の回転を円滑化するため、軸１５にベアリングが外装されているのでも良い。また本発明は、電磁石１６に流す電流を大きくしたり、鉄芯１６ａの形状を変更して磁力を大きくし、反発力を高めて跳ね上げ速度が速くなるよう形成されているのでも良い。
【００２９】
而して、蓋１４が、跳ね上げられると、導入路８の入口が開き、筒状部３内のエアーの流路が蓋１４で閉塞される。但し、蓋１４は、フィルター状に形成されているから、吸い込まれた外気は網目を介して後方に流れ、排気部２から排気される。一方、吸い込まれた害虫や卵は、跳ね上げられた蓋１４が案内板として機能し、導入路８へ誘導され、収納箇所７に収納される。
【００３０】
また本発明の場合、吸い込み部１は、図８、図９に示されるように、毛１ａをブラシ状に備えて筒状部３の先端に交換自在に設けられている。吸い込み部１は、この実施形態では筒状部３の先端に嵌め込み式に形成され、独立した部品として形成されている。また毛１ａは、この実施形態では葉につく害虫及び卵の吸い込みに適するよう、毛先の細い毛１ａが吸い込み部１の先端部１ｄに重ねられて先端部１ｄのぐるりに毛先を前方に向けて環状に植え付けられている。
【００３１】
またこの実施形態の本発明品は、図１０〜図１４に示されるように、虫の種類や虫のついている箇所に合わせて吸い込み部１を適宜交換できるよう形成されている。
次に、吸い込み部１の各実施形態について説明する。同一部材、同一箇所には、同一の符号を付し、詳しい説明は省略する。
【００３２】
図１０等に示される実施形態は、茎２１に付着した害虫用の吸い込み部１である。使用するときは、害虫が付着した茎２１に吸い込み部１をあてがい、本発明品を上下、左右に擦って動かすことにより、害虫は茎２１から剥ぎ取られる。また落下した虫は、毛１ａの上に落ち、殆どの虫は吸引力で吸い込まれる。
【００３３】
図１０〜図１２に示される実施形態の吸い込み部１は、茎２１との抵抗を小さくし、茎２１に円滑に差し込むことができるよう、毛１ａが、入口側から奥に向かって、上から見てすり鉢状のテーパーに形成されている。テーパー部分は、この実施形態では入口から一定の長さだけであり、それより奥は左右の毛１ａが同じ長さで突き出されている。また吸い込み部１は、図１３に示されるように、断面円形の筒状部１の先端から奥に向かって切り欠き１ｂが形成され、左右の側壁１ｃの内面中央に毛１ａが設けられているのでも良い。この場合、吸い込み部１の左右の側壁１ｃは、図１０に示されるように、先端部１ｄに向かって先細り状に形成されているのでも良い。なぜならこれによると、茎２１への差し込み操作を円滑化できるからである。
【００３４】
而して、毛１ａは、図１０Ｂに示されるように、枠部材２２に植毛され、吸い込み部１は、この枠部材２２を内壁に接着等の手段で固定することにより形成されているのでも良い。また毛１ａの配列の仕方は任意であり、例えば図１０、図１１に示されるように、茎２１を包み込むように、左右と奥の三方に植毛されているのでも良い。なお、毛１ａの硬さ、長さ、植毛時の厚み等は、適宜選定されるので良い。
【００３５】
また図１２、図１４に示される実施形態は、カメムシ又は類似虫用の吸い込み部１である。カメムシ又は類似虫は、人が近づくと、茎２１の裏側に隠れ、更に危険を感じると、茎２１から地面に落ちて逃げる性質がある。この種の虫に対しては、吸い込み部１が、断面方形（図１２参照）や断面円形（図１４参照）の筒形に形成され、毛１ａが左右の側壁１ｃから内方に突き出されて上下二段状に設けられているのが良い。なぜならこの場合は、上下の毛１ａの間に虫が配置されるように切り欠き１ｂを茎２１に差し込み、その後、本発明品を上下動して虫を茎２１から擦り取ることで、落下する虫を下側の毛１ａで受け止めて吸い込むことができるからである。
【００３６】
次に本発明の使用例及び作用を説明する。
使用者は、例えば図７に示されるように、取っ手４を持って吸い込み部１を虫に向け、スイッチ５を押す。すると、吸引機６のモータが駆動して外気が吸引される。また電磁石１６に電流が流れ、磁界が発生する。
【００３７】
この場合、電磁石１６と第１の永久磁石１７の磁極は、同じである。従って蓋１４は、磁石同士の反発力と、風受け板１４ａで受ける風圧とで、一瞬にして軸１５を中心に回転して跳ね上げられ、ストッパー１８に衝止する。
この場合、ストッパー１８には、蓋１４と同一磁極の第２の永久磁石１９が埋め込まれているが、第２の永久磁石１９と、蓋１４の第１の永久磁石１７との反発力より、吸い込み部１から吸い込まれるエアーの風圧が勝るため、蓋１４は、跳ね上げられた姿勢で、この実施形態では傾斜状に保持される。
【００３８】
而して、蓋１４が跳ね上げられることにより、導入路８の入口が開口し、傾斜状に配置される蓋１４が案内板として機能するため、筒状部３内に吸い込まれた虫は、導入路８へ誘導され、この導入路８を経て収納箇所７に収納される。また蓋１４は、フィルター状であるから、虫が排気部２側に流れることはない。
【００３９】
次に、使用者が、スイッチ５から手指を離すと、吸引機６としてのモータの駆動が停止し、吸い込み部１からのエアーの流れがなくなる。すると、第１の永久磁石１７と、第２の永久磁石１９との反発力で蓋１４はストッパー１８から引き離され、軸１５を中心に下方に回って降下し、電磁石１６の鉄芯１６ａに支持される。このとき、蓋１４の目に付着している小さな虫や卵は、鉄芯１６ａとの衝突時の振動や衝撃でふるい落とされ、導入路８の入口から収納箇所７に落下収納される。
【００４０】
そして、この実施形態の場合は落下した蓋１４が、第１の永久磁石１７の磁力で、非通電時の電磁石１６の鉄芯１６ａに吸着される。従って導入路８の入口は、蓋１４でしっかりと閉塞されるから、これによると蓋１４により、収納箇所７内から虫が這い出すのを防止できる。また本発明品を傾けたり、逆さにしても、蓋１４は吸着しているため、導入路８の入口が開くことはない。
【００４１】
なお、収納箇所７内の虫の始末は、図５に示されるように、ジョイント部材９を緩め、収納箇所７を取っ手４の下端から取り外して行う。この場合、ボトル状の収納箇所７の口にキャップ１０を締め付け、天日に当てると、内部の温度が上昇し、害虫は死に至る。また温度上昇がない場合でも、中は酸欠状態になるため、虫は死に至る。
【００４２】
以上の処において、上例は、スイッチ５を押している間はモータが駆動し、吸引状態が継続するよう形成されているが、本発明はこれに限定されるものではない。即ち、本発明は、スイッチ５が押されると、スイッチ５から手指を離しても、吸引機６の運転状態が保持されるよう、例えばリレーで自己保持をかけ、再度スイッチ５を押すと運転が停止するよう形成されているのでも良い。
【符号の説明】
【００４３】
１      吸い込み部
２      排気部
３      筒状部
４      取っ手
５      スイッチ
６      吸引機
６ａ    羽根車
７      収納箇所
８      導入路
１４    フィルター状の蓋
【要約】
【課題】  吸引操作を簡単且つ楽にでき、また捕獲した虫が這い出ることを防止でき、虫だけでなく葉に生み付けられた虫の卵までも確実に収納、捕獲できるようにする。
【解決手段】  先端を吸い込み部１に後端を排気部２に形成している筒状部３と、この筒状部３を支持する取っ手４と、この取っ手４を持ってスイッチ５を押すと吸い込み部１から外気を吸引する吸引機６を内蔵する。この吸引機６で吸い込み部１から吸引した虫の収納箇所７を、筒状部３内に連通する導入路８の先に設ける。吸引機６を、羽根車６ａを備えたモータで形成する。導入路８の筒状部３内に開口する入口を閉塞し、スイッチ５を押すと導入路８の入口を開くと共に、筒状部３のエアーの流路を塞いで虫が排気部２側に流れるのを防止するフィルター状の蓋１４を備える。
【選択図】      図１【図１】
0004649540.tif 000002
【図２】
0004649540.tif 000003
【図３】
0004649540.tif 000004
【図４】
0004649540.tif 000005
【図５】
0004649540.tif 000006
【図６】
0004649540.tif 000007
【図７】
0004649540.tif 000008
【図８】
0004649540.tif 000009
【図９】
0004649540.tif 000010
【図１０】
0004649540.tif 000011
【図１１】
0004649540.tif 000012
【図１２】
0004649540.tif 000013
【図１３】
0004649540.tif 000014
【図１４】
0004649540.tif 000015